(57)【要約】  【課題】  吸い込みノズルを付設した吸い込みヘッドの上面に、本体の操作方向における左右方向に配設された第１の回転軸を軸支する第１の軸受を有し、前記第１の回転軸に本体の操作方向における前後方向に配設された第２の回転軸を軸支する第２の軸受が回動自在に連結され、その第２の回転軸に本体下端が連結された縦型掃除機が自立姿勢を採れるようにする。  【解決手段】  本体１の操作方向における前方向の回転を、第２軸受けの下端が吸い込みノズルの上縁２ａに当接させることにより途中で略直立して止まるようにし、前記本体１と第２の回転軸２１の軸受２２の間に、本体１の操作方向における左右方向への回転を阻止するロック機構を設ける。その構成により、先ず、本体１を前方向の回転途中で直立させ、その状態で前記ロック機構を作用させて、左右方向の回転を阻止する。その時、本体１の重心が前記ヘッド３の床に面着する領域内に含まれるようにする。【選択図】      図２
2006247077.tif 000002
【特許請求の範囲】
【請求項１】
電動送風機が内蔵された掃除機本体と、床面に面着する吸い込みヘッドと、その吸い込みヘッドの前記本体の操作方向における前方に付設された吸い込みノズルとを備え、その吸い込みヘッドの上面には、前記本体の操作方向における左右方向に配設された第１の回転軸を軸支する第１の軸受が取り付けられており、前記第１の回転軸には前記本体の操作方向における前後方向に配設された第２の回転軸を軸支する第２の軸受が回動自在に連結されており、前記本体の下端が前記第２の回転軸に回動自在に連結されていることにより、前記本体はその操作方向における左右と前後方向に回動可能となっている電気掃除機において、
前記本体の前記操作方向における前後方向の回転は、第２軸受けの下端が前記吸い込みノズルの上縁に当接することにより前方向の回転の途中で略直立して止まるようになっているとともに、前記本体と前記第２の回転軸の軸受の間に前記操作方向における左右方向への回転を阻止するロック機構が設けられており、前記本体を前方向への回転途中で直立させた状態で前記ロック機構を作用させて、左右方向の回転を阻止することにより、その状態で、本体の重心が前記ヘッドの床に面着する領域内に含まれるようになっていることを特徴とする電気掃除機。
【請求項２】
請求項１に記載の電気掃除機において、上記本体と第２の回転軸の軸受の間に設けるロック機構の配設位置を上記操作方向における後方または左右側方のいずれかにしたことを特徴とする電気掃除機。
【請求項３】
請求項１または２に記載の電気掃除機において、上記本体が上記操作方向における後方に回転してその下死点に至った時、上記ロック機構の、その配設面から最大に突出した部分と上記吸い込みヘッドとが干渉しないようになっていることを特徴とする電気掃除機。
【発明の詳細な説明】
【技術分野】
【０００１】
この発明は電気掃除機に係り、詳しくは、縦型式電気掃除機の本体部の自立構造に関する。
【背景技術】
【０００２】
図４は縦型式電気掃除機の一従来例である。この掃除機は、図に示したように、電動送風機４を備えた本体１の下端に、吸い込みノズル２を供えた吸い込みヘッド３が接続されている。その本体１にはホース５が接続されており、そのホース５の他端が前記吸い込みノズル２に接続されている。
【０００３】
本体１の上端側には、長手の接続パイプ６が連設されており、その接続パイプ６の先端には樹脂で形成された把手７が取り付けられている。
【０００４】
本体１は吸い込みヘッド３の上面に設けられた回転機構によって操作の前後方向と左右方向に回転可能となっている。この回転機構について次に説明する。図５は掃除機を正面(操作方向における前方)からみて、その下端の吸い込みヘッド３の部分を拡大したものである。
【０００５】
図５に示すように、吸い込みヘッド３は左右対称形状を成しており、図の奥側にヘッド３の大部分を占める長方形のベース部３ｂがあり、そのベース部３ｂの手前の面に吸い込みノズル２が配設されている。ベース部３ｂの図の左右の中心には、図の左右水平方向に配設された第１の回転軸１１を軸支した第１の軸受１２が取り付けられている。その第１の軸受１２の回転軸１１に吸い込みノズル２が取り付けられ、吸い込みノズル２は、その回転軸１１の周りに回転可能となっている。
【０００６】
また、その第１の軸受１２の回転軸１１には、その回転軸１１に直交する方向に配設される回転軸２１を軸支した第２の軸受２２が取り付けられている。その第２の軸受２２の回転軸２１に本体１の下端が取り付けられている。
【０００７】
掃除機本体１は、前記第２の軸受２２の回転軸２１に取り付けられていることにより左右方向に回転可能となっており、この第２の軸受２２が、図の左右水平方向に回転軸１１が配設された第１の軸受１２のその回転軸１１に取り付けられていることにより、前後方向にも回転可能となっている。図６と図７はその本体１の前後方向の回転を示したものである。図６が前方に回転していった場合、図７が後方に回転していった場合のそれぞれの死点の状態を示している。
【０００８】
図６に示したように、前方向の回転の場合、本体１は前方に向かって回転していって、最後に、本体１の下端が取り付けられている第２の回転軸２１を軸支した第２の軸受２２の下端２２ａの部分が前記吸い込みノズル２の上縁２ａに当接するようになっている。そのことにより本体１は概ね直立した姿勢を採り、それ以上は前方に回転しないようになっている。すなわち、本体１の上死点の状態であり、その様子を図８に実線で示している。
【０００９】
また、後方への回転の場合、本体１を後方へ完全に回転させると、本体１に接続されたパイプ６の上端に取り付けられた把手７の先端が床面に当接することにより、その状態が本体１の下死点の状態となっている。その下死点の状態を図８に二点鎖線で示している。
【発明の開示】
【発明が解決しようとする課題】
【００１０】
ところで、掃除の途中、周囲のものを片付けていったり、その場を離れなければならなくなったりして、掃除機の操作を一時中断する必要のある場合がある。その場合、上記した公知の形態の掃除機では、本体１の部分を床に倒すか、把手７の部分を壁に立て掛けたりしなければならない。そういったことは、非常に煩わしく、腰を曲げるのもおっくうである。また、再開する時にも、再び腰を曲げなければならない。
【００１１】
そこで、この発明の課題は、上記のような縦型掃除機の操作の中断の際の煩わしさを解消することにあり、具体的には掃除機本体を自立できるようにすることにある。
【課題を解決するための手段】
【００１２】
上記課題を達成するために本発明は、電動送風機が内蔵された掃除機本体と、床面に面着する吸い込みヘッドと、その吸い込みヘッドの前記本体の操作方向における前方に付設された吸い込みノズルとを備え、前記吸い込みヘッドの上面には、前記本体の操作方向における左右方向に配設された第１の回転軸を軸支する第１の軸受が取り付けられており、前記第１の回転軸には前記本体の操作方向における前後方向に配設された第２の回転軸を軸支する第２の軸受が回動自在に連結されており、前記本体の下端が前記第２の回転軸に回動自在に連結されていることにより、前記本体はその操作方向における左右と前後方向に回動可能となっている電気掃除機において、
前記本体の前記操作方向における前後方向の回転は、第２軸受けの下端が前記吸い込みノズルの上縁に当接することにより前方向の回転の途中で略直立して止まるようになっているとともに、前記本体と前記第２の回転軸の軸受の間に前記操作方向における左右方向への回転を阻止するロック機構が設けられており、前記本体を前方向への回転途中で直立させた状態で前記ロック機構を作用させて、左右方向の回転を阻止することにより、その状態で、本体の重心が前記ヘッドの床に面着する領域内に含まれるようになっている構成としたのである。
【００１３】
このようにしたので、掃除機本体は、その下端と前記ヘッドとの当接、並びに、前記ロック機構による左右方向の回転が阻止された状態で、その重心が吸い込みヘッドの床の面着面上に位置するような姿勢を得ることができる。従って、そのことにより、床に対して（略直立の形で）自立することができる。
【００１４】
その際、上記本体と第２の回転軸の軸受機構の間に設けるロック機構の配設位置を掃除機の操作方向における後方または左右側方のいずれかにする構成とすれば、その配設位置は掃除機を操作する人間の手の届きやすい範囲であるので、楽である。
【００１５】
また、上記本体が後方に回転してその下死点に至った時、上記ロック機構の、その配設面から最大に突出した部分と上記吸い込みヘッドとが干渉しないようにすれば、掃除機本体の操作方向における前後左右の回転動作を最大限に生かすことができる。
【発明の効果】
【００１６】
この発明は上記のように構成したので、吸い込みヘッドに対し、その上方にある掃除機本体および把手の部分を直立させることができ、掃除機全体が自立できるので、掃除の途中、掃除機の操作を止める必要がある場合にも、本体を自立させたままにしておくことができるので、腰を曲げて本体や把手を床面に置く必要もなく、また、再開する際にも、そのまま操作姿勢に移れるので、楽である。
【発明を実施するための最良の形態】
【００１７】
以下、この発明の実施の形態を説明する。本実施形態の掃除機の基本構造は前出の従来例のものと同じであるので、従来例と同じ要素については同じ符号を付して、その説明は省略する。図１（ａ）は本実施形態の縦型電気掃除機の本体１の下端と吸い込みヘッド３との接続部を、操作方向における後方から見た拡大図である。
【００１８】
図に示すように、本体１の下端には、本体１の中心線を左右対称軸として左右対称の位置に一対のスライドレール３１が設けられている。そして、そのレール３１に、係合部材３２がスライド可能に取り付けられている。（ｂ）は、そのレール３１と係合部材３２を抜き出して描いたものである。
【００１９】
この係合部材３２は、（ｂ）に示すように、門形板状の本体３３の上縁に操作板３４が本体３３の板面に直交する方向に突設された形となっている。
【００２０】
前記本体３３の左右の側縁から内側の一定幅の部分が前記係止部材たるスライドレール３１に沿って摺動する摺動部であり、係合部たる本体中央の下縁に、矩形の係合凹部３５が左右対称の形で形成されている。
【００２１】
他方、吸い込みヘッド３の側では、本体１の前記係合部材３２を係合させるための係合凸部３６が前記第２の軸受２２の上縁の部分に突設されている。この凸部３６の矩形の寸法形状が前記係合部材３２の下縁の凹部３５の寸法形状と互いに係合するものとなっている。
【００２２】
また、その係合部材３２と係合凸部３６の間の掃除機本体１の表面に小円柱の樹脂の突起３７が突設されている。この突起３７については後述する。
【００２３】
以上の掃除機の本体１と吸い込みヘッド３の間に設けられた自立機構の一部である。図１はその自立機構が作用した時の係合部材３２と係合凸部３６との関係を示している。（ａ）が掃除機の操作方向の後方からみた図であり、（ｃ）は側断面図である。
【００２４】
掃除機本体１を自立させる際は、先ず、本体１を前方に回転させてゆき、前記図６に示したように、第２軸受けの下端が吸い込みヘッド３の上面隅部と当接する位置までもってくる。この吸い込みヘッド３の上面隅部が当たりとなって、掃除機本体１は、少々前方に傾いた状態ながら、概ね直立するようになっている（図８参照）。
【００２５】
そして、その状態で、図２に示すように、前記係合部材３２の操作板３４を押し下げて、その係合凹部３５を第２の軸受２２の係合凸部３６に係合させる。（ａ）は、その係合した状態を掃除機の操作方向の後方からみた図であり、（ｂ）は側断面で示したものである。
【００２６】
そのように係合部材３２の凹部３５を軸受の係合凸部３６に係合させると、掃除機本体１はその左右方向の回転が阻止されるが、本発明では、この時、本体１の重心が吸い込みヘッド３の床面との面着領域の中に含まれるようになっている。こうして、掃除機全体が床Ｆに対して自立可能となる。
【００２７】
なお、係合部材３２を押し下げて軸受の係合凸部３６に係合させる際、押しさげる途中、本体１の表面に設けられた前記樹脂の突起３７を押し潰して乗り越えることになるが、それを乗り越えた後は、その突起３７が樹脂の弾性によって元の形状に復帰して、係合部材３２が逆戻りするのを阻止するようになっている。こうして、係合部材３２と係合突部３６の係合状態が固定され、従って、掃除機本体１の左右方向の回転も阻止されるようになっている。
【００２８】
本発明でいうところのロック機構とは、本実施形態においては、前記係合部材３２と係合突起３６に加え、この樹脂の突起３７がセットになったものをいう。このようなロック機構は本実施形態のようなものに限られるものではない。
【００２９】
また、本実施形態においては、この本体１の左右の回転を阻止するための上記係合部材３２と第２の軸受２２の係合凸部３６およびそれを固定する機構を本体１の後方側に設けており、この位置はそれを操作する人間に最も近く操作し易い位置であるので、操作が楽である。
【００３０】
さらに、本実施形態では、前記係合部材３２について、掃除機本体１の下端部の後方表面から最大に突出している操作部３４の突出量を、図３に示すように、掃除機本体１を一番後方に倒した時、すなわち、下死点の位置にした時でも、その操作部３４の先端が吸い込みヘッド３のベース部３ｂと干渉しないような突出量にして、本体１の後方への最大の回転範囲を縮小しないようにしている。図３には、本体１を後方、下死点の位置にした時でも、その操作部３４の突出端と吸い込みヘッド３のベース部３ｂの上面とに隙間（α）が存在することを示している。
【産業上の利用可能性】
【００３１】
この発明は、本体の首振り機構を有した縦型の電機掃除機に適用可能である。
【図面の簡単な説明】
【００３２】
【図１】は、（ａ）に本実施形態の縦型電気掃除機の本体の下端と吸い込みヘッドとの接続部を、操作方向における後方から見た拡大図を示し、（ｂ）に本体のロック機構を構成する部品の一部を分解斜視図で示し、（ｃ）にロック機構を側断面図で示したものである。
【図２】は、（ａ）に本実施形態のロック機構が作用している状態を操作方向における後方から見た拡大図で示し、（ｂ）に（ａ）の状態のロック機構を側断面図で示したものである。
【図３】は、本体を後方に寝かせて下死点の状態にした時の要部拡大図である。
【図４】は、縦型式電気掃除機の一従来例を示した図である。
【図５】は、前方から見た時の要部拡大図である。
【図６】は、本体を操作方向の前方に最大に倒して、本体下端が吸い込みヘッドに当接して止まっている状態を要部拡大図で示したものである。
【図７】は、本体を操作方向の後方に倒した下死点の状態を要部拡大図で示したものである。
【図８】は、掃除機本体が自立した状態（上死点）の全体図を実線で示し、本体と接続パイプおよび把手の部分を床の上に倒した時（下死点）の状態を二点鎖線で示したものである。
【符号の説明】
【００３３】
１    掃除機本体
２    吸い込みノズル
３    吸い込みヘッド
１１    第１の回転軸
１２    第１の軸受
２１    第２の回転軸
２２    第２の軸受
３２    係合部材
３５    係合凹部
３６    係合凸部
３７    突起
【図１】
2006247077.tif 000003
【図２】
2006247077.tif 000004
【図３】
2006247077.tif 000005
【図４】
2006247077.tif 000006
【図５】
2006247077.tif 000007
【図６】
2006247077.tif 000008
【図７】
2006247077.tif 000009
【図８】
2006247077.tif 000010